(57)【特許請求の範囲】
【請求項１】
槽内の上部及び下部に設けられたヘッダーパイプと、上部及び下部に設けられたヘッダーパイプの一方に設けられた複数の供給部と、他方に設けられた複数の排出部とを備える温度成層型の蓄熱槽であって、
供給部及び排出部は、ヘッダーパイプに設けられ、直径がヘッダーパイプの直径より小さく形成して流入量、流出量を均一化した分岐パイプと、該分岐パイプに接続され、複数の孔が形成された分配器とを有する蓄熱槽。
【請求項２】
請求項１に記載の蓄熱槽であって、分岐パイプの直径をヘッダーパイプの直径の１／３〜１／６に設定した蓄熱槽。
【請求項３】
請求項１〜２のいずれかに記載の蓄熱槽であって、複数の孔は、分岐パイプとの接続部に対向する側に形成されている蓄熱槽。
【請求項４】
請求項１〜３のいずれかに記載の蓄熱槽であって、複数の孔は、分岐パイプとの接続部と対向する部分を除く個所に形成されている蓄熱槽。
【請求項５】
請求項４に記載の蓄熱槽であって、複数の孔は、分岐パイプとの接続部と対向する側の軸方向の線に対して両側に形成されている蓄熱槽。
【請求項６】
請求項１〜５のいずれかに記載の蓄熱槽であって、蓄熱槽は複数設けられ、ヘッダーパイプは各槽に亘って設けられている蓄熱槽。
【請求項７】
請求項６に記載の蓄熱槽であって、ヘッダーパイプは各槽を連通する連通口に挿通されている蓄熱槽。
【発明の詳細な説明】
【０００１】
【発明の属する技術分野】
本発明は、蓄熱槽等に好適に用いることができる分配器及びその分配器を用いた蓄熱槽に関する。
【０００２】
【従来の技術】
近年、電力負荷平準化のために空調機等に供給する冷水または温水を蓄える温度成層型の蓄熱槽が用いられている。温度成層型の蓄熱槽は、槽内の水の温度の違いによる密度差を利用し、温度が高く密度の小さい水を槽内の上部に、温度が低く密度が大きい水を槽内の下部に蓄えるものである。
この温度成層型の蓄熱層を用いた空調設備の概略図を図１１に示す。図１１に示す空調設備は、蓄熱槽５０、ヒートポンプ等の冷却／加熱装置５４、空調機５５等により構成されている。蓄熱槽５０には、上部及び下部に給水／取水部５１、５２が設けられている。
【０００３】
蓄熱槽５０に蓄えられた冷水を空調機５５で使用する場合には、開閉弁５８−ａ及び５８−ｂを開ける。そして、ポンプ５９によって、給水／取水部５２を介して蓄熱槽５０の下部から低温の冷水を空調機５５に供給する。空調機５５で熱交換されて高温になった冷水は、給水／取水部５１から蓄熱槽５０の上部に戻される。このようにして、空調機５５によって冷房を行う。一方、夜間等の電力需要が少ない時間帯には、開閉弁５６−ａ及び５６−ｂを開ける。そして、ポンプ５７によって、給水／取水部５１を介して蓄熱槽５０の上部から高温の冷水を冷却／加熱装置５４に供給する。冷却／加熱装置５４によって冷却された低温の冷水は、給水／取水部５２から蓄熱槽５０の下部に戻される。蓄熱槽５０内では、密度の差によって低温の冷水は下部に、高温の冷水は上部に分かれるため、温度成層が形成される。
蓄熱槽に蓄えられた温水を空調機５５で使用する場合には、開閉弁５８−ａ及び５８−ｂを開ける。そして、ポンプ５９によって、給水／取水部５１を介して蓄熱槽５０の上部から高温の温水を空調機５５に供給する。空調機５５で熱交換されて低温になった温水は、給水／取水部５２から蓄熱槽５０の下部に戻される。このようにして、空調機５５によって暖房を行う。一方、夜間等の電力需要が少ない時間帯には、開閉弁５６−ａ及び５６−ｂを開ける。そして、ポンプ５７によって、給水／取水部５２を介して蓄熱槽５０の下部から低温の温水を冷却／加熱装置５４に供給する。冷却／加熱装置５４によって加熱された高温の温水は、給水／取水部５１から蓄熱槽５０の上部に戻される。蓄熱槽５０内では、密度の差によって高温の温水は上部に、低温の温水は下部に分かれるため、温度成層が形成される。
給水／取水部５１、５２には、外周に複数の孔を設けた円筒型の流出入管からなる分配器がそれぞれ設けられている。
なお、温水使用時と冷水使用時とで異なるポンプを用いることもある。また、冷水のみあるいは温水のみを蓄える場合もある。
【０００４】
【発明が解決しようとする課題】
従来の給水／取水部に設けられている上記分配器は、外周に設けた複数の孔から冷水もしくは温水を放射状に流入もしくは流出させる構造であるため、流入速度もしくは流出速度が不均一となりやすい。このため、流入速度もしくは流出速度が速くなる部分で高温と低温の冷水もしくは温水の混合が起こりやすくなり、良好に温度成層を形成することができず、蓄熱性能が低下する。また、蓄熱槽の深さが浅い場合には、より蓄熱性能が低下する。
そこで、本発明は、流体の流入速度もしくは流出速度を遅くし、水深の浅い蓄熱槽においても均一な温度成層を形成することができ、蓄熱性能を向上させた蓄熱槽及び分配器を提供することを課題とする。
【０００５】
【課題を解決するための手段】
前記課題を解決するために、請求項１の温度成層型の蓄熱槽は、分岐パイプの直径をヘッダーパイプの直径より小さく形成して流入量、流出量を均一化し、分岐パイプに複数の孔が形成された分配器が接続された構成になっているので、各供給部からの流体の供給量及び各排出部からの流体の排出量を均一化すると共に、ヘッダーパイプに設けられた各供給部からの流体の供給速度及び各供給部からの流体の排出速度を遅くすることができる。このため、高温と低温の流体の混合が起りにくくなり、水深の浅い場合でも温度成層を形成させることができる。
請求項２の発明は、分岐パイプの直径がヘッダーパイプの直径の１／３〜１／６に設定してあるので、各ヘッダーパイプに設けられた各供給部からの流体の供給量及び各排出部からの流体の排出量を一層均一化することができる。
請求項３に記載の蓄熱槽は、複数の孔が分岐パイプとの接続部に対向する側に形成されているので、流体を効率よく各孔から供給もしくは排出することができる。
また、請求項４の蓄熱槽は、分岐パイプで絞られた流体は分岐パイプとの接続部に対向する個所に衝突して勢いが弱められ、さらに複数の孔で減速されるため、流体の供給速度を一層遅くすることができる。また、流体の排出速度も一層遅くすることができる。
また、請求項５の蓄熱槽は、分岐パイプに設けられた各分配器からの流体の供給量もしくは排出量をより均一化することができる。
請求項６の蓄熱槽は、多槽の蓄熱槽を簡単に構成することができる。
請求項７の蓄熱槽は、各槽の温度分布を均一にするための連通口を用いてヘッダーパイプを配設することができるため、多槽の蓄熱槽を一層簡単に構成することができる。
【０００６】
【発明の実施の形態】
以下に本発明の実施の形態を図面を用いて説明する。
図１及び図２に、本発明の蓄熱槽の一実施の形態の概略構成図を示す。なお、図２は、図１のＩＩ−ＩＩ線矢示図である。本実施の形態では、耐震構造の建物の地下に設けられている二重スラブ空間を利用して２つの蓄熱槽１０、２０を並列に配置した多槽温度成層型の蓄熱槽を構成している。
耐震構造の建物の地下には二重スラブ空間を形成するための地中梁１、２、３が設けられている。この地中梁１〜３と基礎コンクリート４を利用して、地中梁１と２の間に蓄熱槽１０が形成され、地中梁２と３の間に蓄熱槽２０が形成されている。
地中梁２には、蓄熱槽１０及び蓄熱槽２０内の水の温度分布を均一にするための連通口７及び８が形成されている。この地中梁２の連通口７を通して、蓄熱槽１０及び２０の上部にヘッダーパイプ５が配設されている。また、地中梁２の連通口８を通して、蓄熱槽１０及び２０の下部にヘッダーパイプ６が配設されている。
ヘッダーパイプ５の上部側（蓄熱槽１０及び２０の上部側）には、蓄熱槽１０内に分岐パイプ１１−１〜１１−６が設けられ、蓄熱槽２０内に分岐パイプ２１−１〜２１−６が設けられている。また、ヘッダーパイプ６の下部側（蓄熱槽１０及び２０の下部側）には、蓄熱槽１０内に分岐パイプ１５−１〜１５−６が設けられ、蓄熱槽２０内に分岐パイプ２５−１〜２５−６が設けられている。
分岐パイプ１１−１〜１１−６、２１−１〜２１−６には、ヘッダーパイプ５との接続部と反対側（蓄熱槽１０、２０の上部側）に分配器（ディフュザー）１２−１〜１２−６、２２−１〜２２−６が接続されている。また、分岐パイプ１５−１〜１５−６、２５−１〜２５−６には、ヘッダーパイプ６との接続部と反対側（蓄熱層１０、２０の下部側）に分配器１６−１〜１６−６、２６−１〜２６−６が接続されている。
【０００７】
ヘッダーパイプ５、６、分岐パイプ１１−１〜１１−６、１５−１〜１５−６、２１−１〜２１−６、２５−１〜２５−６、分配器１２−１〜１２−６、１６−１〜１６−６、２２−１〜２２−６、２６−１〜２６−６は、例えば塩ビ等によって、中空の筒状体に形成されている。
蓄熱槽１０及び２０には、分配器１２−１〜１２−６、２２−１〜２２−６の配設位置より高い位置まで水が給水される。
なお、蓄熱槽１０、２０の水面の水位を検出する水位センサ、給水管及びオーバーフロー管を設け、水面の水位が第１設定水位以下になると給水管より給水し、水面の水位が第２設定水位以上になるとオーバーフロー管より排水することにより蓄熱槽１０及び蓄熱槽２０の水面の水位を所定水位に保持するように構成することもできる。
【０００８】
図１のＨ部の拡大図を図３に示す。また、図３のＩＶ−ＩＶ線矢視図を図４に示す。なお、図３には、分岐パイプ１１−１、分配器１２−１のみを示しているが、他の分岐パイプ及び分配器も同様の構成である。
分配器１２−１は、例えば中空の筒状体で形成されており、両端にキャップ１３−１が取付けられている。図４に示すように、分配器１２−１には、分岐パイプ１１−１が、ほぼ中央部の筒壁に連通するように接続されている。また、分配器１２−１の、分岐パイプ１１−１との接続部と対向する側の筒壁には、分岐パイプ１１−１との接続部と対向する部分を除く個所に複数の孔１４−１が形成されている。複数の孔１４−１は、分岐パイプ１１−１との接続部と対向する側の軸方向の線（図３では、分配器１２−１の上部の軸方向の線）の両側にほぼ４５度の位置に、軸方向に沿って列状に形成されている。孔１４−１の分配器１２−１の長さ方向の間隔は、分岐パイプ１１−１との接続部と対向する個所の近傍において広くすることが各孔１４−１における流速を均一にする上で好ましい。分配器１２−１の内周の直径は、ヘッダーパイプ５の内周直径と同等か、それより大きい。
【０００９】
ヘッダーパイプ５は、一端が閉鎖され、他端は空調機の給水側あるいは取水側等に接続される。また、ヘッダーパイプ６は、一端が閉鎖され、他端は空調機の取水側あるいは給水側等に接続される。例えば、図１１に示したように、冷水使用時には、下部に設けられたヘッダーパイプ６の他端には空調機の取水側（流入側）が接続され、上部に設けられたヘッダーパイプ５の他端には空調機の給水側（流出側）が接続される。夜間等の電力負荷が少ない時には、上部に設けられたヘッダーパイプ５の他端には冷却器の取水側が接続され、下部に設けられたヘッダーパイプ６の他端には冷却器の給水側が接続される。また、温水使用時には、上部に設けられたヘッダーパイプ５の他端には空調機の取水側が接続され、下部に設けられたヘッダーパイプ６の他端には空調機の給水側が接続される。夜間等の電力負荷が少ない時には、下部に設けられたヘッダーパイプ６の他端には加熱器の取水側が接続され、上部に設けられたヘッダーパイプ５の他端には加熱器の給水側が接続される。
なお、従来の温度成層型の蓄熱槽は、確実に温度成層を形成するためには、ある程度の水深が必要である。しかしながら、例えば、建物の地下二重スラブ空間を利用した温度成層型の蓄熱槽等では、水深を深くすることができない。このため、このような蓄熱槽の蓄熱効率を向上させるには、水の流入速度及び流出速度を遅くし、蓄熱槽内に水を全体に分配して均一な温度成層を形成することができる分配器が必要である。本発明では、このような水深が浅い場合でも確実に温度成層を形成させることができる。
【００１０】
ヘッダーパイプに複数の分岐パイプを設け、ヘッダーパイプの一端を閉鎖し、他端に給水／取水手段を接続した場合、各分岐パイプにおける水の流入量あるいは流出量を均等化することによって蓄熱槽の蓄熱効率を向上させることができる。特に、本実施の形態のように、多槽温度成層型の蓄熱槽を構成する場合には、各分岐パイプにおける水の流入量あるいは流出量を均一化するのが好ましい。分岐パイプの内周の直径をヘッダーパイプの内周の直径より小さくすることにより、ヘッダーパイプに設けられている各分岐パイプにおける水の流入量あるいは流出量を均一化することができる。
ヘッダーパイプの内周の直径に対する分岐パイプの内周の直径の比が異なる場合の、各分岐パイプにおける水の流入量及び流出量を測定した結果を図５〜図１０に示す。図５〜図１０に示す測定は、１０個の分岐パイプを設けたヘッダーパイプについて行った。
なお、図５〜図１０において、（ａ）はヘッダーパイプの直径を７５ｍｍ、分岐パイプの直径を７５ｍｍに設定した場合、（ｂ）はヘッダーパイプの直径を７５ｍｍ、分岐パイプの直径を５０ｍｍに設定した場合、（ｃ）はヘッダーパイプの直径を７５ｍｍ、分岐パイプの直径を４０ｍｍに設定した場合、（ｄ）はヘッダーパイプの直径を７５ｍｍ、分岐パイプの直径を２５ｍｍに設定した場合、（ｅ）はヘッダーパイプの直径を７５ｍｍ、分岐パイプの直径を１３ｍｍに設定した場合、（ｆ）はヘッダーパイプの直径を５０ｍｍ、分岐パイプの直径を１５ｍｍに設定し、複数の孔を有する分配器を分岐パイプに設けた場合を示している。
図５〜図１０の横軸は分岐パイプの番号を示している。分岐パイプの番号は、給水／取水部と接続されるヘッダーパイプの接続部から最も近い位置に設けられている分岐パイプに番号１を、最も遠い位置に設けられている分岐パイプに番号１０を付している。図５〜図１０の縦軸は各分岐パイプにおける水の流入流速あるいは流出流速を平均流速で無次元化した値を示している。流出流速（流入流速）とは、各分岐パイプ個所における流出（流入）する水の流速をいう。また、平均流速とは、各分岐パイプにおける流出（流入）流速を合計し、分岐パイプ数で除して１分岐パイプ当たりの平均流速として求めたものをいう。縦軸は、各分パイプにおける流出（流入）流速と平均流速との比［流出（流入）流速／平均流速］をとったものである。また、グラフの各数値は、平均流速とのずれを示している。なお、流出方向の流速の場合を［＋］表示し、流入方向の流速の場合を［−］表示している。
図５、図７、図９はヘッダーパイプからの水を各分岐パイプを介して蓄熱槽内に流出（給水）させる場合を示し、図６、図８、図１０は蓄熱槽内の水を分岐パイプを介してヘッダーパイプに流入（取水）させる場合を示している。図５及び図６はヘッダーパイプの流量を６２５ｃｃ／ｓとした場合、図７及び図８はヘッダーパイプの流量を１２５０ｃｃ／ｓとした場合、図９及び図１０はヘッダーパイプの流量を２５００ｃｃ／ｓとした場合を示している。
【００１１】
図５〜図１０に示されているように、各分岐パイプ１〜１０を介して蓄熱槽内に流出させる場合には、ヘッダーパイプの直径７５ｍｍに対して分岐パイプの直径を２５ｍｍより細く（分岐パイプの直径をヘッダーパイプの直径の１／３以下に設定）すると、各分岐パイプ１〜１０から均一に水を流出させることができる。また、ヘッダーパイプの流量が多いほど、すなわちヘッダーパイプ内の流速が速いほど流出量が均一化されているが、大きな差はみられない。
各分岐パイプ１〜１０を介して蓄熱槽内からヘッダーパイプに水を流入させる場合には、分岐パイプの直径が太いと給水手段に接続されたヘッダーパイプの給水手段との接続部に近い位置に設けられている分岐パイプ１、２からの流入量が多い。しかしながら、分岐パイプの直径が２５ｍｍより細く（分岐パイプの直径をヘッダーパイプの直径の１／３以下に設定）すると、各分岐パイプ１〜１０から均一に水を蓄熱槽内からヘッダーパイプに流入させることができる。
一方、分岐パイプの直径が細すぎると、各分岐パイプから流出（あるいは各分岐パイプに流入）する流出量（あるいは流入量）は均等であるが、流速が速くなり、良好に温度成層を形成することができない。分岐パイプの直径をヘッダーパイプの直径の１／６以下とするとこの傾向が現れてくる。また、分岐パイプの直径が細すぎると、分岐パイプの製造も困難になる。
以上のことから、分岐パイプの直径をヘッダーパイプの直径の１／３〜１／６に設定することにより、各分岐パイプにおける流入量あるいは流出量を均一化することができる。これにより、本実施の形態のように、複数の蓄熱槽を並列に設置して多槽温度成層型の蓄熱槽を構成する場合には、各蓄熱槽内に配設されている各分岐パイプから各蓄熱槽内に水を均一に流入させることができ、あるいは各蓄熱槽内に設けられている各分岐パイプから各蓄熱槽内の水を均一に流出させることができる。したがって、蓄熱効率が向上する。
【００１２】
一方、分岐パイプにおける流入量あるいは流出量を均一化するために分岐パイプの直径をヘッダーパイプの直径より小さくすると、分岐パイプ内の水の流速が速くなる。このため、各分岐パイプから直接に蓄熱槽内に水を流入させると高温側と低温側の冷水あるいは温水の混合が起り、蓄熱効率が低下する。
そこで、本実施の形態では、各分岐パイプ１１−１〜１１−６、１５−１〜１５−６、２１−１〜２１−６、２５−１〜２５−６に複数の孔１４−１が形成された分配器（マルチポートディフュザー）１２−１〜１２−６、１６−１〜１６−６、２２−１〜２２−６、２６−１〜２６−６を接続している。なお、図５〜図８の（ｆ）で示されているように、分配器が取り付けられた場合には、流入量、流出量の均一化がより図られている。分配器の詳細は、図３及び図４に示されている。本実施の形態では、複数の孔１４−１は、分配器１２−１の、分岐パイプ１１−１との接続部と反対側に、分岐パイプ１１−１との接続部と対向する筒壁部を除く部分に形成されている。また、複数の孔１４−１は、分岐パイプ１１−１との接続部と対向する側の軸方向の線の両側に、ほぼ４５度の位置に軸方向に沿って列状に形成されている。
複数の孔１４−１を、分岐パイプ１１−１との接続部の反対側に形成することにより、分岐パイプ１１−１から給水される水が効率よく孔１４−１から流出される。
また、複数の孔１４−１を、分岐パイプ１１−１との接続部と対向する筒壁部を除いた部分に形成することにより、分岐パイプ１１−１から給水される水が分岐パイプ接続部と対向する部分の筒壁内面に衝突し、水の流速が低下する。
また、複数の孔１４−１を、分岐パイプ１１−１との接続部と対向する側の軸方向の線の両側にほぼ４５度の位置に軸方向に沿って列状に形成することにより、水の流速をさらに低下させることができる。すなわち、分岐パイプ１１−１との接続部と対向する部分の筒壁面に衝突して流速が低下した水は、筒壁面に沿って効率よく複数の孔１４−１に分散し、孔１４−１から流出する。これにより、水の流速はさらに低下する。
【００１３】
以上のように、本実施の形態では、ヘッダーパイプに設けられた複数の分岐パイプの内面の直径をヘッダーパイプの内面の直径より小さくすることによって各分岐パイプにおける流入量あるいは流出量を均一化することができる。また、各分岐パイプに複数の孔が形成された分配器を接続する。ここで、複数の孔は、分岐パイプとの接続部と反対側の（分岐パイプとの接続部と対向する）筒壁部を除いた部分に、軸方向に沿った線の両側に列状に形成している。これにより、各孔における流速を低下させることができ、蓄熱槽内の高温と低温の温水あるいは冷水の混合を防止することができる。したがって、蓄熱槽の蓄熱効率が向上する。そして、ヘッダーパイプに設けられた各分岐パイプにおける流量を均一化することができるため、深さが浅い蓄熱槽を複数並列に設置した多槽温度成層型の蓄熱槽の蓄熱効率を向上させることができる。
また、各蓄熱槽の上部及び下部に配設されるヘッダーパイプを各蓄熱槽で共用している。これにより、各蓄熱槽毎にヘッダーパイプを設けなくてよいため、多槽温度成層型の蓄熱槽の構造が簡単になる。
また、並列に設置された複数の蓄熱槽内の水の温度分布を均一にするための連通口を通してヘッダーパイプを配設している。これにより、各蓄熱槽に配設するヘッダーパイプを挿通する穴を開ける必要がないため、多槽温度成層型の蓄熱槽の構造が簡単となる。
【００１４】
以上の実施の形態では、２槽式の多槽温度成層型の蓄熱槽について説明したが、本発明は２槽以上の多槽温度成層型の蓄熱槽として構成することもできる。さらに、１槽の蓄熱槽としても構成することができる。
また、給水／取水部を用いて温水あるいは冷水を蓄える蓄熱槽について説明したが、給水部あるいは取水部を用いて温水のみあるいは冷水のみを蓄える蓄熱槽として構成することもできる。
また、分配器に形成する複数の孔の形成位置、数、形状等は実施の形態に限定されず種々変更可能である。
また、本発明は、分配器単体としての特徴を有しており、種々の温度成層型の蓄熱槽の分配器として適用することができる。この場合には、複数の孔における流入速度あるいは流出速度を低減することができる。
また、蓄熱槽内に水を給水したが、蓄熱槽内に供給する流体としては水に限定されない。
【００１５】
【発明の効果】
請求項１に記載の蓄熱槽を用いれば、ヘッダーパイプに設けられた各供給部からの流体の供給量及び各排出部からの流体の排出量を均一化することができると共に、ヘッダーパイプに設けられた各供給部からの流体の供給速度及び各供給部からの流体の排出速度を遅くすることができるため、高温と低温の流体の混合が起りにくくなり、温度成層型蓄熱槽の蓄熱性能が向上する。
また、請求項２に記載の蓄熱槽を用いれば、流体の供給量及び排出量を一層均一化することができる。
また、請求項３に記載の蓄熱槽を用いれば、流体を効率よく各孔から供給もしくは排出することができる。
また、請求項４に記載された蓄熱槽を用いれば、流体の供給速度あるいは流体の排出速度を一層遅くすることができる。
また、請求項５に記載の蓄熱槽を用いれば、分岐パイプに設けられた各分配器からの流体の供給量もしくは排出量をより均一化することができる。
また、請求項６に記載の蓄熱槽を用いれば、多槽の蓄熱槽を簡単に構成することができる。
また、請求項７に記載の蓄熱槽を用いれば、多槽の蓄熱槽を一層簡単に構成することができる。
【図面の簡単な説明】
【図１】本発明の一実施の形態の概略構成図である。
【図２】図１のＩＩ−ＩＩ線矢示図である。
【図３】図１のＨ部の拡大図である。
【図４】図３のＩＶ−ＩＶ線矢示図である。
【図５】分岐パイプとヘッダーパイプとの直径比に対する流出速度との関係を示す図である。
【図６】分岐パイプとヘッダーパイプとの直径比に対する流入速度との関係を示す図である。
【図７】分岐パイプとヘッダーパイプとの直径比に対する流出速度との関係を示す図である。
【図８】分岐パイプとヘッダーパイプとの直径比に対する流入速度との関係を示す図である。
【図９】分岐パイプとヘッダーパイプとの直径比に対する流出速度との関係を示す図である。
【図１０】分岐パイプとヘッダーパイプとの直径比に対する流入速度との関係を示す図である。
【図１１】蓄熱槽を用いた空調設備の概略図である。
【符号の説明】
１、２、３  地中梁
５、６  ヘッダーパイプ
７、８  連通口
１０、２０  蓄熱槽
１１、１５、２１、２５  分岐パイプ
１２、１６、２２、２６  分配器
１４−１  孔
【図１】
0003578973.tif 000002
【図２】
0003578973.tif 000003
【図３】
0003578973.tif 000004
【図４】
0003578973.tif 000005
【図５】
0003578973.tif 000006
【図６】
0003578973.tif 000007
【図７】
0003578973.tif 000008
【図８】
0003578973.tif 000009
【図９】
0003578973.tif 000010
【図１０】
0003578973.tif 000011
【図１１】
0003578973.tif 000012